(57)【要約】【課題】  弾球遊技機のヒンジ部が設けられた側部に生じる隙間から遊技領域内に異物を挿入して遊技球を入賞口に誘導する等の不正行為を防止する。【解決手段】  ガラス扉１２は、本体基部１１ａに軸着される扉本体２８と扉本体２８の前面及び側面を覆う外装体２９とを備えている。ガラス扉１２は、金属ピン３３を中心に回動する。扉本体２８の背面には、遊技機本体１１に向かって突出した２本の突条４０，４１が設けられている。本体基部１１ａには、扉本体２８に向かって突出した突条４４，４５が設けられている。ガラス扉１２が閉じた状態では、突条４０と突条４４並びに突条４１と突条４５はそれぞれ近接し、突条４０及び突条４１は、突条４４及び突条４５のそれぞれに対して遊技領域に近い位置に設けられる。本体基部１１ａとガラス扉１２との間の隙間Ｓ１に異物を挿入しても互いに対向した突条の対によって阻まれ、遊技領域内に異物が入り込むことはできない。【選択図】      図４
2005168717.tif 000002
【特許請求の範囲】
【請求項１】
遊技媒体を供給して遊技を行う遊技領域が設けられた遊技機本体と、前記遊技領域を視認可能にする窓部を有する可動扉とを備え、前記可動扉がその側部で軸着されて前記遊技領域を露出する開位置と前記遊技領域を覆う閉位置とに開閉される遊技機において、
前記遊技機本体は、前記可動扉を軸着した側部にその上端から下端に渡り突出して形成され、前記遊技機本体の側部側に設けられた第１の突条部とこれよりも中央側に並設された第２の突条部とを有し、
前記可動扉は、前記遊技機本体に軸着された側部にその上端から下端に渡り突出して形成され、前記可動扉の側部側に設けられた第３の突条部とこれよりも中央側に並設された第４の突条部とを有し、
前記第２の突条部は、その突出した高さが前記第１の突条部の高さより低く、且つ、前記可動扉の開閉時に前記第３の突条部に接触することのない高さに形成され、
前記可動扉が前記閉位置にあるときは、前記第３の突条部と前記第１の突条部とが対向して互いの側面が近接又は当接する配置となり、前記第４の突条部と前記第２の突条部とが対向して互いの側面が近接又は当接する配置となることを特徴とする遊技機。
【請求項２】
前記遊技機本体は、前記遊技領域を有する遊技盤及び前記可動扉を保持する本体基部と、該本体基部を囲繞すると共に保持する外枠とからなり、
前記第１の突条部と第２の突条部は前記本体基部に設けられており、
前記第１の突条部は、前記外枠と前記閉位置にある前記可動扉との間に位置して前記本体基部の側部から突出していることを特徴とする請求項１記載の遊技機。
【発明の詳細な説明】
【技術分野】
【０００１】
本発明は、遊技領域を視認可能にする窓部を備えた可動扉が回動自在に支持された遊技機に関する。
【背景技術】
【０００２】
遊技場に設置される遊技機として、例えば弾球遊技機は、遊技球の打ち出される遊技領域が設けられた遊技盤と、遊技盤が組み込まれた筐体からなる遊技機本体と、遊技機本体の前面を覆う可動扉とから構成されている。可動扉は遊技領域を外部に露呈させる透明なガラス窓を有し、遊技者がガラス窓を通して遊技領域を落下する遊技球の動きを観察できる。可動扉は、遊技機本体に回動自在に支持され、閉じられた状態では施錠装置によってロックされる。また、遊技機の内部で発生した故障の修理等を行うときには、施錠を解除した後に可動扉を開放することができる。
【０００３】
可動扉の一側方における上端部と下端部は、可動扉を軸支するための軸及び軸受けとからなるヒンジ部によって遊技機本体とそれぞれ連結されている。このような遊技機では、例えば、可動扉の一側方における上端部に第１のヒンジ軸としてＬ字状に曲げられた金属製のピンが上方に突出するように設けられており、遊技機本体の一側方における上部にはこの金属ピンが挿入される第１のヒンジ穴が設けられている。また、可動扉の一側方における下端部には第２のヒンジ穴が設けられており、遊技機本体の一側方における下部には第２のヒンジ穴に差し込まれる上方に突出した第２のヒンジ軸が設けられている。
【０００４】
可動扉に設けられた上記金属ピンは、可動扉に固着された金具等によって上下方向に移動自在で且つ上方に突出するように保持される。可動扉を遊技機本体に組み付ける時や可動扉を取り外す時に、上方に突出した金属ピンを下方向に移動させて退避できるようにすることにより、閉じられた状態の可動扉と遊技機本体との隙間を小さくでき、物理的に僅かな隙間からセルロイド製の薄いシート板（セル板と呼ばれる）や針金、ピアノ線等を遊技領域内に挿入して遊技球を入賞口に誘導する不正行為を防ぐことができる。
【発明の開示】
【発明が解決しようとする課題】
【０００５】
しかしながら、上述のような遊技機では、可動扉を回動自在とするためにヒンジ部が設けられた遊技機側部に隙間が生じてしまい、ここから上記セル板やピアノ線等を挿入して不正行為が行われるという問題がある。
【０００６】
本発明は、上記問題点を考慮してなされたもので、ヒンジ部が設けられた遊技機側部に生じる隙間を利用した不正行為を防止できる遊技機を提供することを目的とする。
【課題を解決するための手段】
【０００７】
上記目的を達成するために、本発明は、遊技媒体を供給して遊技を行う遊技領域が設けられた遊技機本体と、前記遊技領域を視認可能にする窓部を有する可動扉とを備え、前記可動扉がその側部で軸着されて前記遊技領域を露出する開位置と前記遊技領域を覆う閉位置とに開閉される遊技機において、前記遊技機本体は、前記可動扉を軸着した側部にその上端から下端に渡り突出して形成され、前記遊技機本体の側部側に設けられた第１の突条部とこれよりも中央側に並設された第２の突条部とを有し、前記可動扉は、前記遊技機本体に軸着された側部にその上端から下端に渡り突出して形成され、前記可動扉の側部側に設けられた第３の突条部とこれよりも中央側に並設された第４の突条部とを有し、前記第２の突条部は、その突出した高さが前記第１の突条部の高さより低く、且つ、前記可動扉の開閉時に前記第３の突条部に接触することのない高さに形成され、前記可動扉が前記閉位置にあるときは、前記第３の突条部と前記第１の突条部とが対向して互いの側面が近接又は当接する配置となり、前記第４の突条部と前記第２の突条部とが対向して互いの側面が近接又は当接する配置となることを特徴とするものである。
【０００８】
前記遊技機本体は、前記遊技領域を有する遊技盤及び前記可動扉を保持する本体基部と、該本体基部を囲繞すると共に保持する外枠とからなり、前記第１の突条部と第２の突条部は前記本体基部に設けられており、前記第１の突条部は、前記外枠と前記閉位置にある前記可動扉との間の位置で前記本体基部の側部から突出していることを特徴とするものである。
【発明の効果】
【０００９】
本発明によれば、遊技機本体から可動扉に向かって突出した突条と、可動扉から遊技機本体に向かって突出した突条とが遊技機側部の空間を塞ぐ構造をなし、遊技機側部に形成される隙間から挿入されるセル板、ピアノ線等のワイヤを遮断して、これらが遊技領域に達することを阻止する。遊技機本体の突条と可動扉の突条とが相互に逆方向に突出して形成される閉塞構造が遊技機側部から遊技領域までの間に複数存在することにより、上記セル板やワイヤ等が遊技機側部に最も近い１組目の突条の間に無理矢理ねじ込まれても、この部位でセル板やワイヤ等の先端の動きを規制することができ、２組目の突条の間を抜けて遊技領域に進入させることが困難になり、不正行為を防ぐ効果が得られる。
【００１０】
また、遊技盤が組み込まれた本体基部を島設備等に固定するための外枠が設けられる遊技機において、第１の突条部を外枠の前方に位置するように本体基部の最も側部に設けることにより、遊技領域のための空間を圧迫することなく遊技領域の外部の空間を有効に活用できる。さらに、第１の突条部の前方に装飾性を備えた可動扉が位置するようにして、装飾性のない外枠や本体基部を隠して遊技機の美観を高めることができる。また、可動扉が外枠と同一面上又は側方に突出した位置にあるので、複数の遊技機を隣接して配置した場合や、遊技機に隣接して台間機が配置される場合などにこれらの間に生じる隙間が小さくなり、遊技機の側部に異物を差し込める余地をさらに削減して防犯性を高めることができる。
【発明を実施するための最良の形態】
【００１１】
図１において、弾球遊技機１０は、遊技機本体１１とガラス扉（可動扉）１２を備えるように構成されている。遊技機本体１１は、四角形状の外枠１１ａと遊技盤１３が組み込まれた本体基部１１ｂとからなる。外枠１１ａは、遊技場に設けられる島（遊技機の集合設備）に弾球遊技機１０を固定するためのものである。ガラス扉１２は、遊技機本体１１に対して回動自在に取り付けられている。ガラス扉１２は透明板としてガラス板が嵌め込まれたガラス窓１４を有し、遊技者はガラス窓１４を通して遊技盤１３を視認できる。
【００１２】
遊技盤１３の前面には、遊技者の操作によって遊技球が打ち出される遊技領域が設けられている。遊技盤１３に設けられた遊技領域には、複数の障害釘や風車等の構造物、液晶表示装置１５、始動入賞口１６やアタッカ１７等が設けられている。なお、これらのものはいずれも公知であるので、その詳細については省略する。また、遊技盤１３の背面には、液晶表示装置１５を制御する回路等が設けられた基板やアタッカ１７を駆動するモータやそれらを作動させる制御装置等が組み付けられている。
【００１３】
遊技機本体１１の下部には、受け皿２０とハンドル２１が設けられている。受け皿２０には、遊技に使用する遊技球がセットされ、また、遊技を行って得られた賞球が払い出される。ハンドル２１は、遊技機本体１１の内部に設けられた球発射装置と連結されており、遊技球を打ち出す際に操作される。ハンドル２１を回動すると、回動した角度に応じた強さで遊技球が自動的に打ち出される。
【００１４】
図２において、ガラス扉１２は、扉本体２８と外装体２９とガラス板３０とからなる。外装体２９は、扉本体２８の前面と側面とを囲うように覆う形状を有し、扉本体２８に設けられるスピーカーや発光素子等の電気部品を保護する。ガラス板３０は、扉本体２８にその背面側から取り付けられ、ガラス扉１２が開放される向きと逆向きに回動する。ガラス板３０は、ガラス表面や周囲の縁を清掃するときに扉本体２８から容易に取り外すことができる。扉本体２８は、中央にガラス板３０が嵌め込まれる開口が設けられた枠体からなる。扉本体２８の前面には、その側部上端と側部下端に金具３１，３２がそれぞれ設けられている。
【００１５】
扉本体２８の側部上端にある金具３１には、遊技機本体１１に設けられた軸受け穴３５に差し込まれるヒンジ軸として金属ピン３３が保持されている。金属ピン３３にはバネが挿通されるとともにワッシャ状のリング部材（図示なし）が固定されており、このリング部材が金属ピン３３の鍔となってバネが圧縮されたときの弾性力を金属ピン３３に伝達し、金属ピン３３を上方向に付勢する。金具３２は、遊技機本体１１に設けられた軸支突起３６を差し込むために用いられる。ガラス扉１２は、扉本体２８が遊技機本体１１に枢着されることにより回動自在となる。金具３１及び３２は、ともに扉本体２８の前面にビス止め等により固着されている。
【００１６】
図３において、扉本体２８の背面には、突条（第３の突条部）４０と，突条（第４の突条部）４１がこの背面に対して垂直に設けられている。２本の突条４０，４１は互いに平行であり、突条４０は扉本体２８の側部側に設けられており、突条４１は突条４０よりも扉本体２８の中央寄りに設けられている。突条４０及び４１は、扉本体２８の側部の金具３１及び３２が設けられた上端部から下端部に渡って形成されており、側部側に位置する突条４０は中央部側の突条４１よりもその高さが低い。
【００１７】
図４において、本体基部１１には、ガラス扉１２に向かって突出した突条４４（第１の突条部）及び突条（第２の突条部）４５が設けられている。突条４４は、外枠１１ａの前端部の真正面の位置に設けられ、突条４５よりもその高さが高く形成されている。扉本体２８に設けられた突条４０及び４１は、突条４４及び４５と互いに対向する向きに且つそれぞれ近接して設けられている。突条４０及び４１は、突条４４及び４５に対して遊技領域に近い遊技機本体１１の内側にそれぞれ位置している。遊技機本体１１とガラス扉１２との間に生じる弾球遊技機１０の側部の隙間Ｓ１は、突条４４と外装体２９との間に生じる隙間に等しい。外装体２９の側壁部２９ａは、金具３１が外部に露呈されないように扉本体２９の側面を覆っており、突条４４はその根元側の一部が側壁部２９ａにより覆われている。隙間Ｓ１は、ガラス扉１２が開放されるときに、側壁部２９ａが突条４４と接触することがない最低限の大きさである。
【００１８】
突条４０の先端面４０ａは突条４４の先端面４４ａよりも本体基部１１ｂに近い位置にあり、突条４０と突条４４は互いの先端部分が弾球遊技機１０の外部側方から見て重なり合っている。突条４０は、突条４４との間隔が隙間Ｓ１よりも数段小さいか、或いはその側面が突条４４の側面に当接する位置に設けられる。同様にして、突条４１の先端面４１ａは、突条４５の先端面４５ａよりも遊技機本体１１に近い位置にあり、突条４１は、突条４５との間隔が隙間Ｓ１よりも小さいか、或いは突条４５の側面と互いに接触する位置に設けられる。突条４０と突条４４は各側面４０ｂ，４４ｂが少なくとも近接するように互い違いに突出することにより、隙間Ｓ１を介して外部からの異物の進入を防ぐ第１の閉塞構造が形成され、さらに突条４１と突条４５は各側面４１ｂ，４５ｂが少なくとも近接するように互い違いに突出して組み合わさることにより、外部からの異物進入を防ぐ第２の閉塞構造が形成される。
【００１９】
次に本発明の作用について説明する。ガラス扉１２は、遊技領域内で遊技球の詰まり等の故障が生じたときに、遊技場の係員により施錠が解除されて解放される。ガラス扉１２を開放したとき、扉本体２８とこの前面に取り付けられた外装体２９とが金属ピン３３を中心として回動する（図４（ｂ））。外装体２９の側壁部２９ａは、突条部４４に接触することなく回動し、扉本体２８の突条部４０は、遊技機本体４１の突条４５に接触することなく回動することができる。一方、ガラス扉１２を閉じた時には、突条４４の先端面４４ａと外装体２９の側壁部２９ａの縁が向かい合い、突条４０及び突条４１はそれぞれ突条４４及び突条４５に近接する位置に戻る。
【００２０】
図５において、ガラス扉１２が閉じられた状態では、隙間Ｓ１からセル板や針金、ピアノ線などの異物Ａ１が差し込まれると、突条４０と突条４４とが接している場合や突条４０と突条４４との間に僅かな隙間がある場合のいずれにおいても、上記異物Ａ１を強引に押し込むことにより、突条４０と突条４４との間から上記異物Ａ１が遊技機本体１１とガラス扉１２の間に入り込んでしまう。しかしながら、異物Ａ１をさらに差し込んだ場合には、突条４５の根元部分で異物Ａ１の先端はＵの字形に折り返され、押し込まれた異物Ａ１の先端が扉本体２８に突き当たる。
【００２１】
ここで、異物Ａ１の先端が突条４０に向かって屈曲した場合には、異物Ａ１を押し込んでも、その先端は突条４０及び４１、突条４４及び４５が入り組んで囲まれた空間内に閉じ込められて遊技領域に達することはない。また、図中一点鎖線で示すように、異物Ａ１の先端が突条４１に向かって屈曲した場合には、突条４０及び突条４４との間から無理やり押し込まれている異物Ａ１の先端を操ることは既にできないため、突条４１と突条４５との間に異物Ａ１の先端を入れることは相当な困難が伴う。万が一に突条４１と突条４５との間に異物Ａ１の先端が入り込んだとしても、突条４１と突条４４との間には隙間がないか、或いは僅かな小さい隙間があるだけなので、隙間Ｓ１から異物Ａ１を押し込んでも異物Ａ１が突条４１と突条４４の間を通過することは不可能であり、異物Ａ１は遊技領域に達することはない。
【００２２】
このようにして、弾球遊技機１０では、ガラス扉１２を回動するときに、突条４０及び４１、突条４４及び４５による何らの障害を受けることなく開閉することができ、また、遊技機本体１１とガラス扉１２との間に生じる弾球遊技機１０の側部の隙間から遊技領域内に異物を挿入することはできず、入賞口に遊技球を誘導する等の不正行為を確実に防止することができる。
【００２３】
なお、上記実施形態では、遊技機本体１１と可動扉１２にそれぞれ２本の突条を設けているが、さらに不正行為を防止する効果を高めるためには３本以上の突条を遊技機本体１１及びガラス扉１２に同数設けてもよい。また、上記実施形態では、ガラス扉１２を構成する扉本体２８に複数の突条を設けているが、扉本体２８を覆う外装体２９に複数の突条が設けられていてもよい。第１突条部と第２突条部の間隔、第３突条部と第４突条部の間隔は、できる限り小さくする方が遊技領域のための空間を大きく確保できる点で好適である。各突条部の肉厚はその材質により適宜設定されるが、遊技領域が狭くなる場合には肉厚を大きくしない方が好ましい。
【００２４】
また、上記実施形態では、各突条が全て直線状に形成されているが、一部又は全部が曲げられた形状をしていてもよい。また、遊技機本体及び可動扉の一方に設けられる複数の突条は完全に平行な同一形状のものでなくてもよく、設計上の事情により突条の一部が欠けていたり、傾斜した非平行な部分を有していてもよく、異物を遮断する閉塞構造が構成される平行性を有していればよい。このとき、遊技機本体に設けられる突条は可動扉の各突条に追従する形状とすることが好ましいが、互いに対向する突条の形状が完全に同一でなくてもよい。本発明は、遊技媒体として鉄球を使用する弾球遊技機に限られず、異なる材質の球や、円盤状のメダルのような他の形状の遊技媒体を使用する遊技機にも適用できる。
【図面の簡単な説明】
【００２５】
【図１】弾球遊技機の外観斜視図である。
【図２】ガラス扉の分解斜視図である。
【図３】ガラス扉を構成する扉本体の部分背面図である。
【図４】ヒンジ部周辺を上方から見た断面図である。
【図５】不正行為を防止する様子を示す説明図である。
【符号の説明】
【００２６】
１０  弾球遊技機
１１  遊技機本体
１１ａ  外枠
１１ｂ  本体基部
１２  ガラス扉
３１，３２  金具
３３  金属ピン
２８  扉本体
４０，４１  突条
４４，４５  突条
【図１】
2005168717.tif 000003
【図２】
2005168717.tif 000004
【図３】
2005168717.tif 000005
【図４】
2005168717.tif 000006
【図５】
2005168717.tif 000007